(57)【要約】本発明に係るコンドームホルダー（１）は、コンドームの端部を固定する複数の固定部（４）と、上記複数の固定部を結ぶ単一の接続部（１２）とを備え、上記接続部の少なくとも一部は弾性を有し、上記ホルダーの少なくとも一部は、上記コンドームを配置する空間を規定し、上記ホルダーは、上記空間が減少する第１構成と上記空間が拡大する第２構成との間における上記接続部の形状の変化に適応するものである。第１構成においては、上記接続部の少なくとも一部は歪んでいて第２構成に変形しようとし、第２構成においては、上記歪みの少なくとも一部は開放される。ホルダーが弾性を有することで、そこに配置されるコンドームは必要に応じて自動的に伸張され、使用者が加える力を制御する必要はない。コンドームは、ホルダーを把持する片手のみを用いて装着することができる。また、ホルダーが過剰に、または不十分に伸張される可能性を避ける。
2010514494.tif 000002
【特許請求の範囲】
【請求項１】
コンドームの端部を固定する複数の固定部と、上記複数の固定部を結ぶ単一の接続部とを備えるコンドームホルダーであって、上記接続部の少なくとも一部は弾性を有し、上記ホルダーの少なくとも一部は上記コンドームを配置する空間を規定し、上記ホルダーは、上記空間が減少する第１構成と上記空間が拡大する第２構成との間における上記接続部の形状の変化に適応するものであり、
第１構成においては、上記接続部の少なくとも一部は歪んでいて第２構成に変形しようとし、第２構成においては、上記歪みの少なくとも一部は開放されることを特徴とするコンドームホルダー。
【請求項２】
上記接続部は、少なくとも１つの弧形部材を有することを特徴とする請求項１に記載のホルダー。
【請求項３】
上記接続部は、少なくとももう１つの弧形部材と、該複数の弧形部材を接続する少なくとも１つのコネクターとを有することを特徴とする請求項２に記載のホルダー。
【請求項４】
上記弧形部材が弾性を有することを特徴とする請求項３２のいずれか一項に記載のホルダー。
【請求項５】
上記コネクターは弾性を有していることを特徴とする請求項３に記載のホルダー。
【請求項６】
上記第２構成における上記複数の固定部の間の距離は、上記第１構成における上記複数の固定部の間の距離よりも長いことを特徴とする請求項１に記載のホルダー。
【請求項７】
上記第２構成における上記弧形部材の複数の端部の間の距離は、上記第１構成における上記弧形部材の上記複数の端部の間の距離よりも長いことを特徴とする請求項２または３に記載のホルダー。
【請求項８】
形状を変化させる能力は、少なくとも１つのスプリングによって実現されることを特徴とする請求項１または２に記載のホルダー。
【請求項９】
上記スプリングは弾性ワイヤを備えることを特徴とする請求項８に記載のホルダー。
【請求項１０】
上記スプリングはその中央部にコイルを有することを特徴とする請求項９に記載のホルダー。
【請求項１１】
上記ホルダーは、ホルダーの中央部分に位置する軸を有し、上記スプリングは、そのコイルが軸を取り巻くように、軸に設けられていることを特徴とする請求項１０に記載のホルダー。
【請求項１２】
スプリングの両端が位置する溝を備えることを特徴とする請求項９から１１のいずれか一項に記載のホルダー。
【請求項１３】
上記スプリングは圧縮スプリングであることを特徴とする請求項８に記載のホルダー。
【請求項１４】
上記スプリングは引張スプリングであることを特徴とする請求項８に記載のホルダー。
【請求項１５】
上記スプリングは屈曲スプリングであることを特徴とする請求項８に記載のホルダー。
【請求項１６】
上記スプリングはねじれスプリングであることを特徴とする請求項８に記載のホルダー。
【請求項１７】
上記複数の固定部を結ぶ上記接続部の形状を変化させる能力は、上記複数の弧形部材を接続する少なくとも１つの弾性コネクターによって実現されることを特徴とする請求項３に記載のホルダー。
【請求項１８】
上記複数の固定部を結ぶ上記接続部の形状を変化させる能力は、上記弧形部材を接続するヒンジによって実現されることを特徴とする請求項３に記載のホルダー。
【請求項１９】
上記複数の固定部を結ぶ上記接続部の形状を変化させる能力は、上記複数の弧形部材を接続するヒンジと、上記弧形部材中の弾性ウェブとによって実現されることを特徴とする請求項３に記載のホルダー。
【請求項２０】
上記ホルダーは、上記弧形部材の外側に設けられたハンドルを備えることを特徴とする請求項２または３に記載のホルダー。
【請求項２１】
上記ホルダーは他のハンドルを備え、両ハンドルは、該両ハンドルを操作すると上記ホルダーの形状が変化するように構成されることを特徴とする請求項２０に記載のホルダー。
【請求項２２】
上記ハンドルは、上記第２構成において上記ホルダーを固定する固定器を備えることを特徴とする請求項２１に記載のホルダー。
【請求項２３】
上記ホルダーは、上記第１構成において上記ホルダーを維持する維持器を備えることを特徴とする請求項１に記載のホルダー。
【請求項２４】
上記第１構成において上記ホルダーを維持する上記維持器は、上記ホルダーを取り巻くリングを有することを特徴とする請求項２３に記載のホルダー。
【請求項２５】
上記ホルダーの少なくとも一部はパッケージに収まっていることを特徴とする請求項２３に記載のホルダー。
【請求項２６】
上記パッケージには少なくとも１つの脆弱線が設けられていることを特徴とする請求項２５に記載のホルダー。
【請求項２７】
上記ホルダーには、該ホルダーの収まっている上記パッケージを中に配置したケースが設けられ、該パッケージは該ケースに取り付けられていることを特徴とする請求項２５または２６に記載のホルダー。
【請求項２８】
上記第１構成において上記ホルダーを維持する上記維持器は、１つの開放端を有する筐体であり、上記ホルダーは該筐体に収まっていることを特徴とする請求項２３に記載のホルダー。
【請求項２９】
上記筐体はスロットを有し、上記ホルダーは、該スロットに収まる部分によって当該ホルダーに接続され且つ移動するように調整されるキーを備え、上記キーは上記筐体の外側に位置していることを特徴とする請求項２８に記載のホルダー。
【請求項３０】
上記ホルダーは、上記第２構成において当該ホルダーを固定する固定器を備えることを特徴とする請求項１に記載のホルダー。
【請求項３１】
上記ホルダーは、上記第１構成において当該ホルダーを維持する維持器を備え、上記第２構成において当該ホルダーを固定する固定器を備えることを特徴とする、請求項１に記載のホルダー。
【請求項３２】
上記ホルダーは、スロットを有する筐体に収まり、上記第１構成において上記ホルダーを維持する上記維持器は、上記ホルダーを取り巻くリングを有し、上記ホルダーは、上記スロットに移動可能に収まる部分によって当該ホルダーに接続されるキーを備え、上記キーは筐体の外側に位置することを特徴とする請求項３１に記載のホルダー。
【請求項３３】
上記リングは移動可能に上記筐体へ接続され、上記コンドームの平面にて上記ホルダーを外すときに上記筐体から上記リングが外れることを防ぐ器具を備えることを特徴とする請求項３２に記載のホルダー。
【請求項３４】
平坦に配置されたコンドームを保持するコンドームホルダーであって、該ホルダーは、上記コンドームの端部を固定する複数の固定部と、上記複数の固定部を結ぶ単一の接続部とを備え、上記接続部の少なくとも一部は弾性を有し、上記ホルダーの少なくとも一部は上記コンドームが配置される空間を規定し、上記ホルダーは、上記空間が減少する第１構成と上記空間が拡大する第２構成との間における上記接続部の形状の変化に適応するものであり、
第１構成においては、上記接続部の少なくとも一部は歪んでいて第２構成に変形しようとし、第２構成においては、上記コンドームが伸張され、上記歪みは、少なくとも部分的に開放され、上記コンドームの伸張に起因する弾性力によって釣り合わされることを特徴とするコンドームホルダー。
【発明の詳細な説明】
【発明の詳細な説明】
【０００１】
〔技術分野〕
本発明は障害式避妊用具、特にコンドームホルダーに関する。
【０００２】
〔背景技術〕
コンドームは、天然ラテックスまたは他の物質からなり、全体的または部分的にペニスを覆う膜である。コンドームは、性行為感染症および／または望ましくない妊娠を防ぐために用いられる。従来のコンドームを図１に示す。コンドームには、陰茎亀頭のみを覆う、いわゆるマイクロコンドームというものもある。
【０００３】
小型で使用しやすいものにするため、コンドームは概してリング状に巻かれている。実際には、コンドームを巻くために従来用いられた方向とは反対の方向に巻いてもよい。また、コンドームは、伸ばしたり、また折りたたんだりすることもできる。コンドームを保管するときは、常に密閉した膜でコンドームを包装し、この膜によって常に密閉性が付与される。この膜は、保管および輸送時にコンドームを保護するに充分な強度を有する弾性シート材からなるパッケージとして形成される（図２参照）。パッケージは概して、開封を容易にする手段、例えば、その側部に切り込みまたは強度を低減した領域を備える、または一端部が該パッケージの外側に伸びる密封テープを備える。開封したら、コンドームを勃起したペニスにかぶせ、ペニスの根元まで転がして伸ばす。
【０００４】
マイクロコンドームは、陰茎亀頭のみを覆うので、転がして伸ばすという必要性がない場合もある。従って、マイクロコンドームは、仮に転がして伸ばすとしても、その程度は極微小である。
【０００５】
従来のコンドームの主な欠点は、開封してコンドームを装着する際に時間と手間がかかることである。その結果、使用者の注意が性交から逸れてしまう。
【０００６】
また、コンドームを装着するためには両手を使用する必要がある。しかし、概して使用者は片手のみが自由であり、もう片方の手は自分自身を支えるか、または女性の頭部の下に置いている（図３参照）。それゆえに、手の動きは限られてしまう。一般的に、この体勢は不安定であり、使用者が２つ目の手を開放できるのもわずかな時間しかない。従って、開封してコンドームを装着する際、使用者は時々別の手を使用しつつも、片方の手しか自由に動かすことができない。
【０００７】
コンドームを装着する際に費やされる各瞬間は重要なものとなり得る。コンドームのパッケージを素早く、便利に、簡単に取り扱える必要性は、私的生活で使用される他のどんな包装製品よりも高い。さらに、必要なときでさえコンドームを使用しない人がいることも知られており、これの主な理由は、コンドームを装着するために時間と労力が必要であり、その結果、性交から気が逸れるということである。目的は、コンドームの開封および装着に必要な工程を単純化し低減させることである。この問題が解決できれば、
イ）全体としてコンドームの使用が増加し、その一方で、
ロ）危険な性交を行いつつもコンドームを全く使用しない、またはほとんど使用しない人の数が減少する。
【０００８】
このことは、無制限な出生率の増加（特に人口過剰な途上国において）を食い止めることに加えて、ＨＩＶ問題の解決に役立ち得る。
【０００９】
コンドームホルダーとして知られる器具は、たいていの場合、巻いた状態のコンドームの端部を保持し、これにより、使用者はコンドームホルダーを把持し、コンドームをペニスの上部から下へと密着させることによってコンドームを装着することができる（図４参照）。この過程において、コンドームはペニスの軸部に沿って転がり伸びる（あらかじめ巻いてあるコンドームを使用する場合）。
【００１０】
コンドームホルダーは、その外周にそって溝が伸び、コンドームを受ける凹部を規定する中空リングであり得る。該溝の形状および位置は異なり得る（例えば、ＵＳ４７３８３５７、Ｍａｒｔｉｎ、他（１９８８）参照）。
【００１１】
上記ホルダーの内径がコンドームリングの内径以上の大きさを有すると、上記凹部は外側に開くことができる。この場合、コンドームリングの中央に力が向き、これによって上記リングが上記溝からはみ出てしまうのを防ぐ。
【００１２】
この種のホルダーは、以下の特許にて開示されている：ＪＰ６１５４２６０（Ｔｏｓｈｉｈｉｒｏ，１９９４），ＪＰ７３０８３３６，Ｔａｄａｓｈｉ，１９９５），ＵＳ５５７９７８４（Ｈａｒａｒｉ，１９９６），ＤＥ１９６４１１０７（Ｒａａｂｅ，１９９８），ＵＳ５４３７２８６（Ｓｔｒａｔｔｏｎ，１９９５），ＦＲ２７５１８６９（Ｌｏｙｅｒ，１９９８）。
【００１３】
また、コンドームリング全体を取り囲むコンドームホルダー（例えば、ＵＳ５１６３４４９，  ｖａｎ  ｄｅｒ  Ｖａｌｋ（１９９２）参照）または１つの切れ目を有するコンドームホルダー、Ｃ形またはＵ型のコンドームホルダー（例えば、ＵＳ４８７５４９１，  Ｐａｒｒｏｎｅ（１９８９）参照）が知られている。ホルダーは、互いに隔てられた固定部によって（例えば、ＦＲ２７２７８５８，  Ｖｅｇｅｇａ（１９９６）参照）または連続的にリングの全周に沿ってコンドームリングを保持することができる。
【００１４】
巻かれたコンドームの端部を保持する他の手段を用いることも出来る。例えば、コンドームリングを一対のローラーで保持することができる（例えば、ＷＯ９８０１０９５，Ｌｉｅｈｓ（１９９９）参照）。
【００１５】
しかしながら、上記のホルダーは、コンドームを装着する際にペニスに接触し、使用者に不快感を与える。従って、コンドームが伸張した状態に保持するホルダーには、その固定部がペニスに接触しない、またはほとんど接触しないという必要性が生じる。
【００１６】
図５は、両手で把持する２つのパーツからなるホルダーを示す（例えば、ＷＯ０２／０６９８６１，Ｖａｎ  Ｒｅｎｓｂｕｒｇ（２００２）参照）。この場合、使用者がホルダーのパーツを用いてコンドームを伸張するので、固定部がペニスから離れる。
【００１７】
また、ツーパートコンドームホルダー（ＷＯ２００７／０２１１８４，Ｔｕｎｏｖｉｃ  Ａｄｎａｎ、他（２００７））が知られており、各パーツは、外側からコンドームの端部を固定するために用いられるループ形状の少なくとも１つの固定部を有する。ここで、固定部はコンドームを介してペニスに接触するので、固定部が内側からコンドームの端部を保持して固定部がペニスに接触してしまう場合に比べて、著しく不快感を低減することができる。しかしながら、使用時において固定部がペニスにかぶさってしまわないように、ある程度コンドームを伸張しておく必要がある。
【００１８】
ＷＯ２００７／０２１１８４によると、上記２つのパーツは１端部に回転可能に接続され、コンドーム装着時に向きを変えて開放された状態となる。より具体的には、上記２つのパーツは弾性材料からなるヒンジ部材によって接続されている。上記ヒンジ部材は、上記２つのパーツを閉じた状態で維持しようとするバネのような効果を発揮し得る。各部分はその外側に２本の指で把持するための把持部材を有している。すなわち、使用者はこれらのパーツを互いに分離させながら片手につき２本の指で把持部材を把持する必要がある。この工程は使用者にとっては不快であり、若干余分な技術を必要とする。
【００１９】
コンドームリングを拡張するコンドームホルダーの他の形態は、ＷＯ２００６／０２５７５５（Ｍｏｒ  Ｍａｔｙ  Ｓｅｃｋ（２００６））で知られている。上記ホルダーはリングおよび放射状の滑り溝を有し、該リングは半リングを有する。上記滑り溝にはハンドルが挿入され、上記ハンドルは、上記リングに面する側面に設けられた他の半リングを備えている。どちらの半リングも、リング状に巻き上げられたコンドームの端部を受けるために用いられる溝を備えている。
【００２０】
ホルダーに保持されたコンドームを装着する際、溝を有するリングは片手で保持され、ハンドルは他方の手で溝に沿って動かされる。これにより、２つのセミリングによって形成される内側領域を拡大し、適宜コンドームリングを拡張することができる。
【００２１】
しかしながら、コンドームリングが閉じているということによって、コンドームを装着した後は、リングをペニスに沿って逆方向に外すことしかできず、使用者に不快感を与えてしまう。さらに、このホルダーを用いることによって、コンドームを両手で伸張することとなり、上記の理由で使用者に不快感を与える。
【００２２】
ここで請求項としてあげられるものに最も近いと思われるホルダーがＷＯ０９７００６５２（Ｐａｔｒｉｃｋ（１９９７））に説明されている。該ホルダーは、コンドームの端部を固定する固定部と、これらの固定部の間の弾性接続部とを備える。該ホルダーは、コンドームを配置する空間を規定する。また、該ホルダーは、上記空間が減少する第１構成と、上記空間が拡大する第２構成との間で、上記接続部の形状が変化するように調整される。該ホルダーは曲線を有し（らせん状）、その端部は重なり合い、ハンドルを備える。
【００２３】
上記ホルダーで保持されるコンドームを装着するとき、該ハンドルを互いに向き合った状態で引き離し、これにより、ホルダーによって規定される上記空間を所望の度合いまで拡大することができ、コンドームの装着が快適となる。
【００２４】
しかしながら、ホルダーに保持されるコンドームを装着し、その後ホルダーを外すとき、使用者はホルダーのスプリング抵抗を上回る伸張状態を維持し、なんらかの作用を絶えずホルダーに与えなければならない。極端に強く押すとコンドームを過剰に伸張することとなり、コンドームの破損や、コンドームとホルダーの間における摩擦の増加に発展し得るので、加える力を加減する必要がある。一方、不十分な強さで押すと、ホルダーが充分に拡大せず、ホルダーとペニスの間に摩擦が生じ得る。上記のように、力の加減を行うと、使用者の気が性交から逸れてしまう。さらに、ホルダーの端部が重なり合うので、上記ホルダーが閉じたリング状になり、コンドーム装着後に長手反対方向にしかホルダーを外すことができなくなり、使用者に不快感を与えてしまう。
【００２５】
本発明の目的は、コンドームを素早く快適に伸張し、その後、素早く快適にコンドームを装着するプロセスを実現する、耐久性があり、かつ小型のコンドームホルダーを提供することである。コンドームを伸張および装着する際に行われる全ての動作は片手で行われ、コンドーム装着後にはホルダーを横方向に外すことができることが好ましい。これにより、コンドームを装着するプロセスにおいても、使用者の気が性交からそれてしまうことを最小限にとどめる。
【００２６】
〔発明の概要〕
上記課題を解決するため、コンドームホルダーは、コンドームの端部を固定する複数の固定部と、上記複数の固定部を結ぶ接続部とを備え、上記接続部の少なくとも一部は弾性を有し、上記ホルダーの少なくとも一部は、コンドームを配置する空間を規定し、上記ホルダーは、上記空間が減少する第１構成と上記空間が拡大する第２構成との間における上記接続部の形状の変化に適応するコンドームホルダーである。第１構成においては、上記接続部の少なくとも一部は歪んでいて第２構成に変形しようとし、第２構成においては、上記歪みの少なくとも一部は開放される。
【００２７】
ホルダーが弾性を有することによって、そこに配置されるコンドームは必要に応じて自動的に伸張され、使用者が加える力を制御する必要はない。また、使用者はホルダーを把持する片手のみを使用してコンドームを装着することができる。また、ホルダーの過剰な、または不十分な伸張を避けることがきでる。
【００２８】
上記接続部は、少なくとも１つの弧形部材と、該弧形部材を接続する少なくとも１つのコネクターとを備えてもよい。
【００２９】
上記弧形部材は弾性を有してもよい。
【００３０】
上記コネクターは弾性を有してもよい。
【００３１】
上記第２構成における固定部の間の距離は、上記第１構成における固定部の間の距離よりも長くてもよい。
【００３２】
上記第２構成における弧形部材の端部の間の距離は、上記第１構成における弧形部材の端部の間の距離よりも長くてもよい。
【００３３】
形状を変化させる能力は、少なくとも１つのスプリングによって実現してもよい。
【００３４】
上記スプリングは弾性ワイヤを備えてもよい。
【００３５】
上記スプリングはその中央部にコイルを有してもよい。
【００３６】
上記ホルダーは、ホルダーの中央部分に位置する軸を有し、上記スプリングは、そのコイルが軸を取り巻くように、軸に設けられていてもよい。
【００３７】
上記ホルダーは、スプリングの両端が位置する溝を備えてもよい。
【００３８】
上記スプリングは、圧縮スプリング、引張スプリング、屈曲スプリング、またはねじれスプリングであってもよい。
【００３９】
上記ホルダーは他のスプリングを備えてもよい。
【００４０】
上記複数の固定部を結ぶ接続部の形状を変化させる能力は、上記複数の弧形部材を接続する少なくとも１つの弾性コネクターによって実現してもよい。
【００４１】
上記複数の固定部を結ぶ接続部の形状を変化させる能力は、上記複数の弧形部材を接続するヒンジによって実現してもよい。
【００４２】
上記複数の固定部を結ぶ接続部の形状を変化させる能力は、上記複数の弧形部材を接続するヒンジと、上記弧形部材中の弾性ウェブとによって実現してもよい。
【００４３】
上記ホルダーは、上記弧形部材の外側に設けられたハンドルを備えてもよい。
【００４４】
上記ホルダーは他のハンドルを備え、両ハンドルは、ハンドルを操作するとホルダーの形状が変化するように構成されてもよい。
【００４５】
上記ハンドルは、上記第２構成においてホルダーを固定する固定器を備えてもよい。
【００４６】
上記ホルダーは、上記第１構成においてホルダーを維持する維持器を備えてもよい。
【００４７】
上記第１構成においてホルダーを維持する維持器は、ホルダーを取り巻くリングを有してもよい。
【００４８】
上記ホルダーの少なくとも一部はパッケージに収まっていてもよい。
【００４９】
上記パッケージには少なくとも１つの脆弱線が設けられてもよい。
【００５０】
上記ホルダーには、該ホルダーの収まっているパッケージを中に配置したケースが設けられ、パッケージは該ケースに取り付けられてもよい。
【００５１】
上記第１構成においてホルダーを維持する維持器は、１つの開放端を有する筐体であり、上記ホルダーは該筐体に収まっていてもよい。
【００５２】
上記筐体はスロットを有し、上記ホルダーは、該スロットに収まる部分によってホルダーに接続され、かつ移動するように調整されるキーを備え、上記キーは筐体の外側に位置してもよい。
【００５３】
上記ホルダーは、上記第２構成においてホルダーを固定する固定器を備えてもよい。
【００５４】
上記ホルダーは、上記第１構成においてホルダーを維持する維持器を備え、上記第２構成においてホルダーを固定する固定器を備えてもよい。
【００５５】
上記ホルダーは、スロットを有する筐体に収まり、上記第１構成においてホルダーを維持する維持器は、ホルダーを取り巻くリングを有し、上記ホルダーは、上記スロットに移動可能に収まる部分によってホルダーに接続されるキーを備え、上記キーは筐体の外側に位置してもよい。
【００５６】
上記リングは移動可能に筐体へ接続され、コンドームの平面にてホルダーを外すときに筐体からリングが外れることを防ぐ器具を備えてもよい。
【００５７】
また、上記課題は、平坦に配置されたコンドームを保持するコンドームホルダーであって、該ホルダーはコンドームの端部を固定する複数の固定部と、上記複数の固定部を結ぶ接続部とを備え、上記接続部の少なくとも一部は弾性を有し、ホルダーの少なくとも一部は、コンドームが配置される空間を規定し、上記ホルダーは、上記空間が減少する第１構成と上記空間が拡大する第２構成との間における上記接続部の形状の変化に適応するものであり、第１構成においては、上記接続部の少なくとも一部は歪んでいて第２構成に変形しようとし、第２構成においては、コンドームが伸張され、上記歪みは、少なくとも部分的に開放され、コンドームの伸張に起因する弾性力によって釣り合わされるコンドームホルダーを提供することにより解決される。
【００５８】
〔図面の簡単な説明〕
以下の添付図面を参照し、本発明を詳細に説明する。
【００５９】
図１は、使用者の手で把持される従来のコンドームの斜視図である。
【００６０】
図２は、パッケージ中の、図１に示す従来のコンドームの斜視図である。
【００６１】
図３は、コンドームを装着するプロセスの前の状態を示す図である。
【００６２】
図４は、使用者が手で把持する、公知のリング状ホルダーに配置されるコンドームの斜視図である。
【００６３】
図５は、使用者が両手で把持する、公知のホルダーに配置されるコンドームの斜視図である。
【００６４】
図６は、他の実施形態におけるコンドームホルダーの斜視図である。
【００６５】
図７は、コンドームを内部に搭載した状態の、図６に示すホルダーの斜視図である。
【００６６】
図８は、実施形態の１つにおける維持器を有する、図６および図７に示すような、コンドームを搭載したホルダーの斜視図である。
【００６７】
図９は、維持器を取り外した、図６および図７に示すような、コンドームを搭載したホルダーの斜視図である。
【００６８】
図１０は、維持器の他の実施形態であり、図６および図７に示すような、コンドームを搭載したホルダーの斜視図である。
【００６９】
図１１は、図１０に示す維持器を取り外した、コンドームを搭載したホルダーの斜視図である。
【００７０】
図１２は、ケースに収まっている、図１０に示すホルダーの斜視図である。
【００７１】
図１３は、中身を取り出した後の、図１２に示すような、コンドームを搭載したホルダーの斜視図である。
【００７２】
図１４は、ケースの他の実施形態の斜視図である。
【００７３】
図１５および図１６は、図１４に示すケースおよびパッケージに収まるホルダーの分解図である。
【００７４】
図１７は、中身を取り出した後、図１４〜図１６に示すような、ホルダーが収まるケースの斜視図である。
【００７５】
図１８は、本発明に係るコンドームホルダーの他の実施形態の斜視図である。
【００７６】
図１９は、図１８に示すホルダーを示す分解図である。
【００７７】
図２０は、コンドームホルダーの他の実施形態の斜視図である。
【００７８】
図２１は、ホルダーの他の実施形態の斜視図である。
【００７９】
図２２は、コンドームを搭載した、本発明で提案されるホルダーの他の実施形態の斜視図である。
【００８０】
図２３は、図２２に示されるホルダーの他の実施形態の分解図である。
【００８１】
図２４は、コンドームを搭載したホルダーの他の実施形態の斜視図である。
【００８２】
図２５は、コンドームを搭載したホルダーの他の実施形態の斜視図である。
【００８３】
図２６は、パッケージに収まる、図２５に示すホルダーの斜視図である。
【００８４】
図２７は、ケースに収まる、図２６に示すホルダーの斜視図である。
【００８５】
図２８は、開封プロセスにおける、図２５に示すホルダーの斜視図である。
【００８６】
図２９は、開封後の、図２５に示すホルダーの斜視図である。
【００８７】
図３０は、ケースに収まるホルダーの他の実施形態を示す斜視図である。
【００８８】
図３１は、図２９に示すホルダーおよびケースの分解図である。
【００８９】
図３２および図３３は、図３０に示すホルダーを取り出すプロセスを示す図である。
【００９０】
図３４および図３５は、図３２および図３３に示すような、ケースに収まるホルダーの断面図である。
【００９１】
図３６は、ケースに収まるホルダーの他の実施形態の斜視図である。
【００９２】
図３７および図３８は、図３６に示すホルダーを取り出すプロセスを示す図である。
【００９３】
図３９および図４０は、図３７および図３８に示すキーとホルダーの間の接続部の断面図である。
【００９４】
図４１は、ケースの他の実施形態の斜視図である。
【００９５】
図４２は、コンドームを搭載した、図４０に示すケース（蓋を取り除いたもの）の平面図である。
【００９６】
図４３は、コンドームが取り出される、図４１に示すケース（蓋を取り除いたもの）の平面図である。
【００９７】
図４４および図４５は、本発明に係るコンドームホルダーの他の実施形態の斜視図である。
【００９８】
図４６は、コンドームホルダーの他の実施形態の斜視図である。
【００９９】
図４７は、コンドームホルダーの他の実施形態の斜視図である。
【０１００】
図４８および図４９は、コンドームを搭載したホルダーの他の実施形態の斜視図である。
【０１０１】
図５０は、コンドームホルダーの他の実施形態の斜視図である。
【０１０２】
図５１〜図５３は、維持器を備える、図５０に示す実施形態においてコンドームを搭載したホルダーの分解図である。
【０１０３】
図５４は、ケースに収まるホルダーの他の実施形態の斜視図である。
【０１０４】
図５５は、蓋を取り外した状態の、図５４に示すホルダーの他の実施形態の斜視図である。
【０１０５】
図５６および図５７は、図５０に示すホルダーを取り出すプロセスを示す図である。
【０１０６】
図５８は、ケースに収まる、図５０に示すホルダーの断面図である。
【０１０７】
図５９は、ケースに収まるホルダーの他の実施形態の斜視図である。
【０１０８】
図６０は、ホルダーの他の実施形態の斜視図である。
【０１０９】
〔発明の実施形態の詳細な説明〕
図６および図７において、本発明の一実施形態を示す。本実施形態において、コンドームホルダー１は、弾性材料からなる弧形部材２を備える。コンドームを支持する固定部４は、上記部材２の内側面３に形成される。ホルダー１は、横材６によってホルダーに接続されるハンドル５を備える。ハンドル５は、コンドームの装着時にホルダーを把持するためのものである。
【０１１０】
コンドーム７をホルダー１に搭載するとき、ホルダーの端部が引き合わせられ、リング状に巻かれたコンドームの端部８は、図７に示すように、固定部４に配置される。ホルダー１の部材２における弾性力は、コンドーム７の端部８が有する圧縮力によって相殺される。部材２の材料の大きさ、形状、および弾力性は、ホルダー使用時にコンドーム７が伸張するように選択される。これにより、コンドームの装着プロセスを快適なものとすることができる。
【０１１１】
しかしながら、長時間にわたって伸張されるとコンドームの質が低下する場合もあるので、コンドームを搭載したホルダー１を、ホルダー１によって規定される領域が減少するように維持することによってコンドームリングが伸張しないようにすることが好ましい。
【０１１２】
これを確実にするため、図８に示すように、ホルダーを取り巻くリング９を使用することができる。リング９は、ホルダーから容易に取り外せるように、プルタブ１０を備えている。リング９を取り除いた後、ホルダーは弾性力により拡大し、図９に示すように、コンドームが伸張する。リングは充分な強度を有する材料であればどんな材料からでも、例えば、プラスチックフィルムからなってもよい。
【０１１３】
図１０および図１１に示す他の実施形態において、維持器としてパッケージ１１を使用することができる。パッケージ１１は、従来のコンドームに使用されるパッケージと同様のものであり、その端部が接続された折りたたみシート１２によって形成されている。
【０１１４】
パッケージ１１は、好ましくはポリマーフィルムからなり、脆弱線を備え、そこからパッケージ１１を容易に引き裂くことができる。上記脆弱線は、二層フィルムのパッケージを形成することによって設けることができる。フィルムの一層（薄く丈夫）は浸透できない素材であり、もう一方の層（より堅い）は、脆弱線とともに所定の領域に設けられている。これに沿ってパッケージ１１を引き裂くことができる。
【０１１５】
脆弱線の好ましい構成を図１０に示す。同図において、脆弱線１３は、ホルダーのハンドル５がパッケージから出ているパッケージ端部に沿って設けられている。
【０１１６】
パッケージ１１の大きさは、パッケージ１１中に配置され、かつ、コンドーム７を搭載するホルダー１が、ホルダー１によって規定される領域が減少し、コンドームリングが伸張されない状態に維持されるように選択される。
【０１１７】
ホルダー１のハンドル５はパッケージ１１の外側に位置する。横材６がホルダーから突出し、パッケージ１１の端部は、横材６がパッケージ１１から出ている領域において互いに接続されずに横材６を取り巻いている。密封性を付与するため、パッケージ１１と横材６の間の接続部を、接着剤または封止材（図示せず）によって密接させることができる。
【０１１８】
コンドーム７を取り出すとき、使用者は片手でパッケージ１１の端部１４０を引きつつ、他方の手でハンドル５を把持する。これにより、パッケージは脆弱線１３に沿って引き裂かれる。その後、パッケージを取り除き、部材２の弾性力によってホルダーが拡大される。これにより、図１１に示すようにコンドーム７が伸張される。
【０１１９】
図１２に示すように、パッケージ１１に収まるホルダーは、開放端２２を有する平坦な筐体のようなケース１４の中に配置することができる。筐体１４は、内容物の一体性を確保し、手で把持するに充分な強度を有する材料であればどんな材料からでも、例えばプラスチックからなってもよい。
【０１２０】
筐体１４に収まるパッケージ１１は、筐体１４に、たとえば接着などにより接合される。筐体１４に対するパッケージ１１の接続点は、好ましくは横材６が突出するパッケージ１１の端部に位置し、横材の両面が該接続点となる（図示せず）。ただし、パッケージはより長い領域、つまり、端部全体に沿って取り付けられてもよい。
【０１２１】
コンドーム７を取り出すとき、使用者は片手でハンドル５を引きつつ、もう一方の手で筐体１４を把持する。これにより、パッケージを引き裂き、コンドーム７を搭載したホルダー１を完全に筐体１４から取り出す。筐体１４およびパッケージ１１を取り除いた後、ホルダー１が拡大し、図１３に示すようにコンドーム７が伸張される。
【０１２２】
図１４〜図１７に示す他の実施形態において、筐体１５は２つの部分からなる。つまり、側面を介して互いに接続される底部１６および蓋１７からなる。蓋１７は、片側からもう一方の側の直前まで伸びる中央スルースロット１８を有する。底部１６と蓋１７の間の接続部は接着されてもよい。
【０１２３】
キー２０の支持部１９は、ホルダー１の外端部に取り付けられる。支持部１９は、横材６によってホルダー１に接続されている。キー２０は、指で簡便に操作できる形状と大きさを有するボタンまたはキーである。キー２０は、スロット１８に位置する脚部２１を介して支持部１９に接続される。本実施形態において、ホルダー１、横材６、指示部１９、脚部２１、キー２０は一体である。ただし、これらの部材は互いに接続される、異なる部分からなってもよい。
【０１２４】
パッケージ１１は、図１５に示す脆弱線２３〜２６を備える。
【０１２５】
コンドーム７を搭載したホルダー１を包装するプロセスを、図１５および図１６に示す。まず、脚部２１をスロット１８に挿入することによって、パッケージ１１に収まるホルダー１を蓋１７に接続する。必要であれば、パッケージ１１を蓋１７に対して固定する。全ユニットを底部１６上に配置し、蓋１７を底部１６に対して固定する。
【０１２６】
コンドームを取り出すとき、使用者は、開放端２２を使用者から離れた前方に向くように片手で筐体１５を把持し、親指でキー２０を操作する。上記のように、ホルダー１とキー２０は一体であり、そのため筐体１５に（上記のように）取り付けられたパッケージ１１によって、キー２０が移動することを防ぐ。これにより、キー２０が移動し始めても、ホルダー１の前端部がパッケージ１１の前端部に突き当たる。キー２０がさらに移動すると、パッケージ１１の前端部は裂け、コンドームを搭載したホルダー１１はケースの開放端２２を通過してパッケージ１１および筐体１５から解放される。同時に、パッケージ１１の反対の端部が脚部２１によって裂ける。キー２０をスロット１８の端部まで移動すると、ホルダー１が筐体１５の外に完全に押し出され、弾性力によって拡大する。これにより、図１７に示すようにコンドームが伸張される。
【０１２７】
ホルダーは、図１８、図１９、図２０に示すようにいくつかの部分で構成されてもよい。一実施形態において（図１８および図１９）、ホルダーは、コネクター２９によって接続される２つの弾性弧形部材２７・２８を有し、該コネクター２９にはその外側にハンドル５が取り付けられている。固定部４は弧形部材２７・２８およびコネクター２９に配置される。
【０１２８】
弧形部材２７・２８にはそれぞれ、突出部３０・３１が備えられている。コネクター２９の端部には、ソケット３２および３３が備えられている。弧形部材２７・２８の突出部３０・３１は、上記ソケットにきつく固定される。
【０１２９】
図２１に示す実施形態において、ホルダーは、弾性ウェブ３６・３７によってコネクター２９に接続される、堅い弧形部材３４・３５を備える。
【０１３０】
図２２および図２３に示すさらに他の実施形態において、ホルダー３８は、その内側に固定部４を有する平坦開放リング３９である。ハンドル４１は、横材４０を介してリング３９の外端部に取り付けられている。軸４２は横材４０に形成されている。ホルダーは、スプリングワイヤ４３を備え、該スプリングワイヤ４３はその中央部にコイル４４を有する。これにより、ねじれスプリングを形成する。このスプリングは、ホルダーによって規定される空間が拡大されるようにホルダーを調整しようとする。上記コイル４４は軸４２を取り巻き、ワイヤ４３の端部４５・４６は、横材４０の両側部の溝４７に固定されている。
【０１３１】
図２４に示すホルダー４８は、ヒンジ５１によって接続され、固定部４を備える２つの弧形部材４９・５０を有する。前述の実施形態（図２２および図２３）と同様、ホルダー４８はスプリングワイヤ５２を備え、該スプリングワイヤ５２は、その中央部にコイル５３を有し、該コイル５３はヒンジ５１の軸を取り巻いている。ワイヤ５２の端部は、弧形部材４９・５０における溝５５・５６に固定される。ホルダー４８はまた、弧形部材４９・５０の外側に取り付けられているハンドル５７・５８を有する。
【０１３２】
図２５〜図２９に示す実施形態において、ホルダー５９は、弾性ウェブ６２によって接続される、２つの弧形部材６０・６１を有する。ハンドル６３・６４は、弧形部材６０・６１の外側に取り付けられている。上記ハンドルは、それらの２辺に接するウェブ６２に近接して配置され、横材６５・６６によって弧形部材６０・６１に接続されている。ハンドル６３は、その端部に凹部６７を備え、ハンドル６４は、上記凹部６７に機械的に係合するように調整される凸部６８を備える。凹部６７および凸部６８によって、ハンドル６３・６４を互いに対して固定することができる。これにより、ホルダー５９を、折りたたまれない状態に固定することができる（図２９）。ハンドル６３・６４はそれぞれ、それらにおける隣接する２側面に波状領域６９・７０・７１・７２を有する（図２５）。これらの領域により、使用者の手の指にてハンドルを把持することが容易となる。ホルダー５９は、パッケージ７３およびケース７４に収めることができ（図１０および図１２を用いて述べたように）、上記ハンドル６３・６４はパッケージ７４およびケース７４の外側に伸びている。
【０１３３】
コンドームを取り出すとき、使用者は片手でハンドル６３・６４を把持しつつ、もう一方の手でケース７４を把持する。これにより、上記ハンドルを引き合わせ、凹部６７に凸部６８を固定する。その結果、ホルダーが折りたたまれないようにしようとする弾性力がホルダー５９に発生するが、パッケージ７３およびケース７４によって抑制される。また、ホルダー５９をハンドル６３・６４で把持しつつ、ケース７４から取り出す。これにより、ケース７４に取り付けられるパッケージ７３は引き裂かれ、コンドームを搭載したホルダー７９が完全に解放される。ホルダーは弾性力によって広がった状態にあり、これによってコンドームは伸張される。
【０１３４】
図３０〜図３５に示すさらに他の実施形態において、ホルダー７５は、図２４に示すホルダー４８と同様である。異なる点は、ホルダー７５にはハンドルが備えられないということである。
【０１３５】
図３０に示すように、コンドーム７を搭載したホルダー７５は、筐体７６の中に配置され、該筐体７６は２つの部分からなる。すなわち、底部８８と、スロット７７を有する蓋８９とからなる。ホルダー７５の弧形部材７８・７９には、弾性ウェブ８０・８１が備えられ、該弾性ウェブ８０・８１によってホルダーの形状の変化が可能となる。形状の変化によって、筐体中のホルダーの構成をより小型化することが可能である。
【０１３６】
キー８２は、スロット７７に収まるピン８３の上で、筐体７６の外側に設けられる。キー８２は、弾性を有する帯８４によってホルダーに接続され、該帯８４の一端はピン８３に取り付けられ、他端は、弧形部材７８・７９を接続するヒンジ８７の軸８６と接続可能な開口部９０を有している。該帯の端部は、充分な耐久性を実現する、いかなる公知の手段を用いて固定してもよい。
【０１３７】
キー８２が移動すると、帯８４が引っ張られ、ホルダー７５を前方へ押す。
【０１３８】
図１４〜図１７に示す、スロットの終端までホルダーが移動するとホルダーが完全に取り出される実施形態とは逆に、ここでは、キーがスロット７７の終端まで移動すると、スプリングによって与えられる弾性力と、ホルダー弧形部材と筐体の開放端における壁９１・９２との相互作用とによって、ホルダーを自動的に筐体から射出可能な状態へ移行する。図３４では、キーとホルダーの相対的位置が示され、キーはスロットの終端に到達する。図３５では、ホルダーはパッケージの外へ出る。ホルダーとキーのこのようなタイプの接続によって、ホルダーを筐体からスムーズに抜き取ることができる。
【０１３９】
図３６〜図４０に示す実施形態において、図３０〜図３５に示す実施形態とは逆に、帯８４は、ピン８３に取り付けられるブラケット９３と取り替えられる。ブラケット９３は、ヒンジ８７の軸８６が移動可能に収まるガイドスロット９４を有する。
【０１４０】
図３７および図３８に示す開封プロセスは、図３２および図３３に示すものと同様である。キー８２が終端に到達したとき、ホルダー７５はそれ自体の位置を移動させ、ヒンジの軸８６はスロット９４中で移動する。図３９に、キーがスロットの終端に到達した瞬間におけるキーとホルダーの相対的位置を示す。図４０は、ホルダーがパッケージから出てきた状態を示す。
【０１４１】
図２２に示すホルダーと同様なホルダー９５は、図４１〜図４３に示すように、開口端に向かって幅の広くなっている筐体９６に配置されるという実施形態もまた可能である。
【０１４２】
筐体の設計では（図３０〜図４０に示す２つの前例と同様に）、スプリング９９の弾性力の及ぼす作用と、ホルダー９５と開口端９８における壁１０１および１０２との相互作用とによって、ホルダー９５は筐体９６からスムーズに抜き取られる。
【０１４３】
図４４〜図４９に示す、スプリングの弾性によって拡大するようにホルダーが調整される他の実施形態も可能である。
【０１４４】
図４４および図４５に示すホルダー１０３は、固定部４を備えるスプリングワイヤ１０７によって互いに接続される伸長部材１０４、１０５、１０６によって形成される。
【０１４５】
ワイヤ１０７は、フレーム１０４と１０６の間にスプリング１０８、およびフレーム１０５と１０６の間にスプリング１０９を有する。ワイヤの中央部分１１０は、部材１０６に形成された溝１１１に固定され、ワイヤの端部１１２および１１３はそれぞれ、部材１０４および１０５に形成された溝１１４および１１５に固定されている。
【０１４６】
コンドーム７のホルダー１０３を固定部７に取り付けるとき、部材１０４および１０５は互いに反対向きに移動し、これにより、コイル１０８および１０９は変形し、該コイルに発生した弾性力は、コンドーム７の端部８の収縮力によって釣り合わされる。
【０１４７】
図４６に示す実施形態において、ホルダー１１６はまた、スプリングワイヤ１００によって互いに接続される３つの部材１１７，１１８，１１９によって形成される。しかし、前述の実施形態（図４４および図４５）とは逆に、ここではコイル１２０および１２１はねじれスプリングを形成し、部材１１９の端部には、軸１２４および１２５を備えた突出部１２２および１２３が形成されている。コイル１２０および１２１は、上記軸１２４および１２５を取り巻く。
【０１４８】
図４７に示すホルダー１２６は、ヒンジ１２９によって互いに接続される半円部材１２７および１２８によって形成される。拡張スプリング１３０は、上記半円部材の内側に取り付けられている。
【０１４９】
図４８および図４９に示すさらに他の実施形態において、ホルダー１３１は、Ｌ字形部材１３２および１３３によって形成される。部材１３３のパーツ１３４は中空であり、ソケット１３５を有し、部材１３２のパーツ１３６は移動可能な状態で該ソケットに収まっている。部材１３２および１３３のパーツ１３６および１３４は、図４９に示すように、ホルダーによって規定される空間が拡大した状態にホルダー１３１を維持する圧縮スプリング１３９によって接続されている。
【０１５０】
図５０〜図５８において、ホルダー１４１は２つの弧形部材１４２および１４３を有し、これら弧形部材の外側には弾性ウェブ１５４および１５５を有している。上記弧形部材はスプリングワイヤ１４４によって接続されている。ワイヤ１４４の端部は、弧形部材１４２および１４３に形成された溝１４５および１４６に固定されている。図５０に示すように、コイル１４７および１４８は該ワイヤの中央部分に形成され、ねじれスプリングを形成している。上記コイルは、Ｕ字形の断面を有するコネクター１４９に接続される。コネクター１４９の凹部には、コイル１４７および１４８が位置する。コイル１４７および１４８は、ピン１５２および１５３を取り囲む。コネクター１４９は、ピン１５２および１５３の端部が収まる開口部１５０および１５１を有している。突出部１５６および１５７は、コネクター１４９の端部に形成されている。キー１６８を支持する脚部１６７は、コネクター１４９の片側中央部に形成されている。
【０１５１】
ホルダー１４１は、プレート１５９を有する維持部材１５８によって、折りたたまれた状態に維持される。このプレート上に、図５１および図５２に示すように、コネクター１４９を有するホルダー１４１が配置される。上記維持部材１５８は、プレート１５９の一端に設けられるフレーム１６０をさらに備え、該フレーム１６０は、図８に示すリング９のように、折りたたまれたホルダー１４１を取り巻く。突出部１６１および１６２は、プレート１５９のもう一方の端部に設けられている。
【０１５２】
ホルダー１４１の上に配置された維持部材１５８は、図５８に示すように、端部において接続される２つのシート１７２および１７３によって形成されるパッケージに収まり、２つの部分によって形成される平坦筐体１６９の中に配置される。上記２つの部分は、底部１７４と、中央にスロット１７１を有する蓋１７０とである（図５３、図５４）。底部１７４は、その両端がフランジ１６２および１６３によって規定されるプレートによって形成される。溝１６４および１６５は、フランジ１６２および１６３の基部の近くでフランジ１６２および１６３に沿って形成されており（図５２）、上記溝によって、プレート１５９の突出部１６１および１６２が導かれる。
【０１５３】
コンドームを包装するとき、シート１７２が溝１６４および１６５を含む底部の内周を沿うように、底部１７４の中にシート１７２を配置する。また、シートは底部に接着される。また、ホルダー１４１を有する維持部材１５８は、突出部１６１および１６２を溝１６４および１６５に挿入することによって底部の中に配置される。図５８に示すように、シート１７３は上側に取り付けられ、その端部はシート１７２の端部と接続されている。蓋１７０は、スロット１７１にピン１６７を挿入することによって、全アセンブリの上に配置される。
【０１５４】
コンドームを開封するとき、使用者は片手で筐体１６９を把持しつつ、キー１６８を押し、キー１６８を自分から離れる方向へ移動させる。続いて、維持部材１５８を有するホルダー１４１は筐体から出始める。突出部１６１および１６２は溝１６４および１６５の端部に突き当たると、ホルダーが前進し続ける一方で、維持部材１５８は停止する。筐体から取り出すとき、ホルダー１４１はスプリングの力によって広がり、これによって図５７に示すようにコンドームが伸張する。
【０１５５】
維持部材１５８が筐体１６９から離れるのを防ぐ手段（上記実施形態において、該手段は溝１６４および１６４にて示される）は、多くの異なる方法で実現することが可能であることは明らかである。例えば、図５９に示すように、コンドームを開封する際、維持部材１５８を筐体の内側に維持する屈曲性の帯１７４によって、維持部材１５８を筐体の底部に接続することが可能である。
【０１５６】
図示しない実施形態の中には、維持部材が完全に筐体から出て、使用者によって取り除かれるものもある。しかしながら、図５０〜図５８に示すように、開封時に、筐体の開放端に達し、その位置で固定された後維持部材がホルダーに留まることが好ましい。
【０１５７】
さらに、ホルダー１４１には、コンドームの破損や、コンドームとホルダーの間の過剰な摩擦につながりかねない、スプリングの過剰なねじれを防ぐ停止部が設けられていてもよい。図６０に示すように、停止部は、コネクター１４９に位置するピン１７５および１７６であってもよく、該ピンはワイヤ１４４を所定の位置に維持する。それゆえ、コンドームの適切な伸張度合いを実現するために正確にスプリングの特性を選択する必要はない。
【０１５８】
図示しない実施形態の中には、コンドームを所望の度合いまで伸張するために必要な力の一部分のみを与える構成のものもある。残りの必要な力は使用者によって与えられる構成でもよい。これにより、スプリングはホルダーの拡大を促進するだけのものとなる。
【０１５９】
さらに、上記実施例において、コンドームホルダーはホックとして形成される固定部を備えている。しかし、コンドームの端部を固定する固定部としては他のタイプのものも使用可能である。例えば、１対のローラーとして形成された固定部も使用可能である。また、ホルダーは、その内側の円周に沿って伸びる成形溝を有する開放リングであってもよい。ホルダーをマイクロコンドームの搭載に使用すると、マイクロコンドームは薄い接着剤によってホルダーに固定してもよい。
【０１６０】
本発明は、添付の請求項の範囲で、上述した各実施形態以外の多くの実施形態にて実施することができる。
【図面の簡単な説明】
【０１６１】
【図１】使用者の手で把持される従来のコンドームの斜視図である。
【図２】パッケージ中の、図１に示す従来のコンドームの斜視図である。
【図３】コンドームを装着するプロセスの前の状態を示す図である。
【図４】使用者が手で把持する、公知のリング状ホルダーに配置されるコンドームの斜視図である。
【図５】使用者が両手で把持する、公知のホルダーに配置されるコンドームの斜視図である。
【図６】他の実施形態におけるコンドームホルダーの斜視図である。
【図７】コンドームを内部に搭載した状態の、図６に示すホルダーの斜視図である。
【図８】実施形態の１つにおける維持器を有する、図６および図７に示すような、コンドームを搭載したホルダーの斜視図である。
【図９】維持器を取り外した、図６および図７に示すような、コンドームを搭載したホルダーの斜視図である。
【図１０】維持器の他の実施形態であり、図６および図７に示すような、コンドームを搭載したホルダーの斜視図である。
【図１１】図１０に示す維持器を取り外した、コンドームを搭載したホルダーの斜視図である。
【図１２】ケースに収まっている、図１０に示すホルダーの斜視図である。
【図１３】中身を取り出した後の、図１２に示すような、コンドームを搭載したホルダーの斜視図である。
【図１４】ケースの他の実施形態の斜視図である。
【図１５】図１４に示すケースおよびパッケージに収まるホルダーの分解図である。
【図１６】図１４に示すケースおよびパッケージに収まるホルダーの分解図である。
【図１７】中身を取り出した後、図１４〜図１６に示すような、ホルダーが収まるケースの斜視図である。
【図１８】本発明に係るコンドームホルダーの他の実施形態の斜視図である。
【図１９】図１８に示すホルダーを示す分解図である。
【図２０】コンドームホルダーの他の実施形態の斜視図である。
【図２１】ホルダーの他の実施形態の斜視図である。
【図２２】コンドームを搭載した、本発明で提案されるホルダーの他の実施形態の斜視図である。
【図２３】図２２に示されるホルダーの他の実施形態の分解図である。
【図２４】コンドームを搭載したホルダーの他の実施形態の斜視図である。
【図２５】コンドームを搭載したホルダーの他の実施形態の斜視図である。
【図２６】パッケージに収まる、図２５に示すホルダーの斜視図である。
【図２７】ケースに収まる、図２６に示すホルダーの斜視図である。
【図２８】開封プロセスにおける、図２５に示すホルダーの斜視図である。
【図２９】開封後の、図２５に示すホルダーの斜視図である。
【図３０】ケースに収まるホルダーの他の実施形態を示す斜視図である。
【図３１】図２９に示すホルダーおよびケースの分解図である。
【図３２】図３０に示すホルダーを取り出すプロセスを示す図である。
【図３３】図３０に示すホルダーを取り出すプロセスを示す図である。
【図３４】図３２および図３３に示すような、ケースに収まるホルダーの断面図である。
【図３５】図３２および図３３に示すような、ケースに収まるホルダーの断面図である。
【図３６】ケースに収まるホルダーの他の実施形態の斜視図である。
【図３７】図３６に示すホルダーを取り出すプロセスを示す図である。
【図３８】図３６に示すホルダーを取り出すプロセスを示す図である。
【図３９】図３７および図３８に示すキーとホルダーの間の接続部の断面図である。
【図４０】図３７および図３８に示すキーとホルダーの間の接続部の断面図である。
【図４１】ケースの他の実施形態の斜視図である。
【図４２】コンドームを搭載した、図４０に示すケース（蓋を取り除いたもの）の平面図である。
【図４３】コンドームが取り出される、図４１に示すケース（蓋を取り除いたもの）の平面図である。
【図４４】本発明に係るコンドームホルダーの他の実施形態の斜視図である。
【図４５】本発明に係るコンドームホルダーの他の実施形態の斜視図である。
【図４６】コンドームホルダーの他の実施形態の斜視図である。
【図４７】コンドームホルダーの他の実施形態の斜視図である。
【図４８】コンドームを搭載したホルダーの他の実施形態の斜視図である。
【図４９】コンドームを搭載したホルダーの他の実施形態の斜視図である。
【図５０】コンドームホルダーの他の実施形態の斜視図である。
【図５１】維持器を備える、図５０に示す実施形態においてコンドームを搭載したホルダーの分解図である。
【図５２】維持器を備える、図５０に示す実施形態においてコンドームを搭載したホルダーの分解図である。
【図５３】維持器を備える、図５０に示す実施形態においてコンドームを搭載したホルダーの分解図である。
【図５４】ケースに収まるホルダーの他の実施形態の斜視図である。
【図５５】蓋を取り外した状態の、図５４に示すホルダーの他の実施形態の斜視図である。
【図５６】図５０に示すホルダーを取り出すプロセスを示す図である。
【図５７】図５０に示すホルダーを取り出すプロセスを示す図である。
【図５８】ケースに収まる、図５０に示すホルダーの断面図である。
【図５９】ケースに収まるホルダーの他の実施形態の斜視図である。
【図６０】ホルダーの他の実施形態の斜視図である。
【図１】
2010514494.tif 000003
【図２】
2010514494.tif 000004
【図３】
2010514494.tif 000005
【図４】
2010514494.tif 000006
【図５】
2010514494.tif 000007
【図６】
2010514494.tif 000008
【図７】
2010514494.tif 000009
【図８】
2010514494.tif 000010
【図９】
2010514494.tif 000011
【図１０】
2010514494.tif 000012
【図１１】
2010514494.tif 000013
【図１２】
2010514494.tif 000014
【図１３】
2010514494.tif 000015
【図１４】
2010514494.tif 000016
【図１５】
2010514494.tif 000017
【図１６】
2010514494.tif 000018
【図１７】
2010514494.tif 000019
【図１８】
2010514494.tif 000020
【図１９】
2010514494.tif 000021
【図２０】
2010514494.tif 000022
【図２１】
2010514494.tif 000023
【図２２】
2010514494.tif 000024
【図２３】
2010514494.tif 000025
【図２４】
2010514494.tif 000026
【図２５】
2010514494.tif 000027
【図２６】
2010514494.tif 000028
【図２７】
2010514494.tif 000029
【図２８】
2010514494.tif 000030
【図２９】
2010514494.tif 000031
【図３０】
2010514494.tif 000032
【図３１】
2010514494.tif 000033
【図３２】
2010514494.tif 000034
【図３３】
2010514494.tif 000035
【図３４】
2010514494.tif 000036
【図３５】
2010514494.tif 000037
【図３６】
2010514494.tif 000038
【図３７】
2010514494.tif 000039
【図３８】
2010514494.tif 000040
【図３９】
2010514494.tif 000041
【図４０】
2010514494.tif 000042
【図４１】
2010514494.tif 000043
【図４２】
2010514494.tif 000044
【図４３】
2010514494.tif 000045
【図４４】
2010514494.tif 000046
【図４５】
2010514494.tif 000047
【図４６】
2010514494.tif 000048
【図４７】
2010514494.tif 000049
【図４８】
2010514494.tif 000050
【図４９】
2010514494.tif 000051
【図５０】
2010514494.tif 000052
【図５１】
2010514494.tif 000053
【図５２】
2010514494.tif 000054
【図５３】
2010514494.tif 000055
【図５４】
2010514494.tif 000056
【図５５】
2010514494.tif 000057
【図５６】
2010514494.tif 000058
【図５７】
2010514494.tif 000059
【図５８】
2010514494.tif 000060
【図５９】
2010514494.tif 000061
【図６０】
2010514494.tif 000062
【国際調査報告】
2010514494.tif 000063
2010514494.tif 000064
2010514494.tif 000065